【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
２．４ＧＨｚの周波数帯と５ＧＨｚの周波数帯における無線通信を実行可能であり、利用する通信チャネルを決定しない子局になる無線接続と、利用する通信チャネルを決定する親局になる無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記２．４ＧＨｚの周波数帯及び前記５ＧＨｚの周波数帯のうち少なくとも一方を用いて、前記外部装置と、前記子局に前記印刷装置がなる無線接続を確立する接続手段と、
前記親局で前記印刷装置が動作している状態で前記所定の操作が受け付けられ、且つ前記２．４ＧＨｚの周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されるように制御し、前記親局で前記印刷装置が動作している状態で前記所定の操作が受け付けられ、且つ前記５ＧＨｚの周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有することを特徴とする印刷装置。
【請求項２】
前記親局で前記印刷装置が動作している状態で前記所定の操作が受け付けられ、且つ前記２．４ＧＨｚの周波数帯を用いて前記子局に前記印刷装置がなる無線接続が前記設定情報に基づいて確立された場合、前記設定情報に基づいて確立される前記子局に前記印刷装置がなる無線接続に用いられる通信チャネルと、前記所定の操作が受け付けられたときの前記親局での前記印刷装置の動作に用いられていた通信チャネルとが異なっていたとしても、前記子局に前記印刷装置がなる無線接続と前記親局での前記印刷装置の動作が、同じ通信チャネルを用いて並行して維持されるように制御されることを特徴とする請求項１に記載の印刷装置。
【請求項３】
前記親局で前記印刷装置が動作している状態で前記所定の操作が受け付けられた場合、前記親局での前記印刷装置の動作が停止され、
前記親局で前記印刷装置が動作している状態で前記所定の操作が受け付けられ、且つ前記２．４ＧＨｚの周波数帯を用いて前記子局に前記印刷装置がなる無線接続が前記設定情報に基づいて確立されたことに基づいて、前記親局での前記印刷装置の動作が再開され、
前記親局で前記印刷装置が動作している状態で前記所定の操作が受け付けられ、且つ前記５ＧＨｚの周波数帯を用いて前記子局に前記印刷装置がなる無線接続が前記設定情報に基づいて確立されたことに基づいては、前記親局での前記印刷装置の動作が再開されないことを特徴とする請求項１又は２に記載の印刷装置。
【請求項４】
２．４ＧＨｚの周波数帯と５ＧＨｚの周波数帯における無線通信を実行可能であり、第１の情報処理装置との外部装置を介した第１の無線接続と、第２の情報処理装置との前記外部装置を介さない直接的な第２の無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記５ＧＨｚの周波数帯及び前記２．４ＧＨｚの周波数帯のうち少なくとも一方を用いて、前記外部装置との無線接続を確立する接続手段と、
前記第２の無線接続を確立するための状態で前記印刷装置が動作している状態で前記所定の操作が受け付けられ、且つ前記２．４ＧＨｚの周波数帯を用いて前記外部装置との無線接続が前記設定情報に基づいて確立された場合、前記第１の無線接続と、前記第２の無線接続を確立するための状態での前記印刷装置の動作とが並行して維持されるように制御し、前記第２の無線接続を確立するための状態で前記印刷装置が動作している状態で前記所定の操作が受け付けられ、且つ前記５ＧＨｚの周波数帯を用いて前記外部装置との無線接続が前記設定情報に基づいて確立された場合、前記第１の無線接続と、前記第２の無線接続を確立するための状態での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有することを特徴とする印刷装置。
【請求項５】
前記第２の無線接続を確立するための状態で前記印刷装置が動作している状態で前記所定の操作が受け付けられ、且つ前記２．４ＧＨｚの周波数帯を用いて前記外部装置との無線接続が前記設定情報に基づいて確立された場合、前記設定情報に基づいて確立される前記外部装置との無線接続に用いられる通信チャネルと、前記所定の操作が受け付けられたときの前記第２の無線接続を確立するための状態での前記印刷装置の動作に用いられていた通信チャネルとが異なっていたとしても、前記第１の無線接続と前記第２の無線接続を確立するための状態での前記印刷装置の動作が、同じ通信チャネルを用いて並行して維持されるように制御されることを特徴とする請求項４に記載の印刷装置。
【請求項６】
前記第２の無線接続を確立するための状態で前記印刷装置が動作している状態で前記所定の操作が受け付けられた場合、前記第２の無線接続を確立するための状態での前記印刷装置の動作が停止され、
前記第２の無線接続を確立するための状態で前記印刷装置が動作している状態で前記所定の操作が受け付けられ、且つ前記２．４ＧＨｚの周波数帯を用いて前記外部装置との無線接続が前記設定情報に基づいて確立されたことに基づいて、前記第２の無線接続を確立するための状態での前記印刷装置の動作が再開され、
前記第２の無線接続を確立するための状態で前記印刷装置が動作している状態で前記所定の操作が受け付けられ、且つ前記５ＧＨｚの周波数帯を用いて前記外部装置との無線接続が前記設定情報に基づいて確立されたことに基づいては、前記第２の無線接続を確立するための状態での前記印刷装置の動作が再開されないことを特徴とする請求項４又は５に記載の印刷装置。
【請求項７】
前記第２の無線接続を確立するための状態とは、Ｗｉ−Ｆｉ  Ｄｉｒｅｃｔによる接続を確立するための状態及び、アクセスポイントとして動作する状態のうち少なくとも一方であることを特徴とする請求項４乃至６のいずれか１項に記載の印刷装置。
【請求項８】
前記設定情報に、前記２．４ＧＨｚの周波数帯に対応する周波数帯情報と前記５ＧＨｚの周波数帯に対応する周波数帯情報とが含まれる場合、前記５ＧＨｚの周波数帯より、前記２．４ＧＨｚの周波数帯を優先的に用いて、前記外部装置との無線接続を確立することを特徴とする請求項１乃至７のいずれか１項に記載の印刷装置。
【請求項９】
前記設定情報に、前記２．４ＧＨｚの周波数帯に対応する周波数帯情報と前記５ＧＨｚの周波数帯に対応する周波数帯情報とが含まれ、且つ前記２．４ＧＨｚの周波数帯によって、前記外部装置と無線接続することができない場合、前記５ＧＨｚの周波数帯によって、前記外部装置と無線接続することを特徴とする請求項８に記載の印刷装置。
【請求項１０】
前記設定情報に、前記２．４ＧＨｚの周波数帯に対応する周波数帯情報と前記５ＧＨｚの周波数帯に対応する周波数帯情報のうちいずれか１つが含まれる場合、前記設定情報に含まれる周波数帯情報に基づく周波数帯によって、前記外部装置と無線接続することを特徴とする請求項１乃至９のいずれか１項に記載の印刷装置。
【請求項１１】
前記設定情報に、前記２．４ＧＨｚの周波数帯に対応する周波数帯情報と前記５ＧＨｚの周波数帯に対応する周波数帯情報のいずれもが含まれない場合、前記５ＧＨｚの周波数帯より、前記２．４ＧＨｚの周波数帯を優先的に用いて、前記外部装置と無線接続することを特徴とする請求項１乃至１０のいずれか１項に記載の印刷装置。
【請求項１２】
前記設定情報に、前記２．４ＧＨｚの周波数帯に対応する周波数帯情報と前記５ＧＨｚの周波数帯に対応する周波数帯情報のいずれもが含まれない場合、前記２．４ＧＨｚの周波数帯で前記外部装置を検索し、前記２．４ＧＨｚの周波数帯で前記外部装置を検索した結果、前記外部装置が発見されなかった場合に、前記５ＧＨｚの周波数帯で前記外部装置を検索することで、前記５ＧＨｚの周波数帯より、前記２．４ＧＨｚの周波数帯を優先的に用いて、前記外部装置と無線接続することを特徴とする請求項１１に記載の印刷装置。
【請求項１３】
前記設定情報に、前記２．４ＧＨｚの周波数帯に対応する周波数帯情報と前記５ＧＨｚの周波数帯に対応する周波数帯情報のいずれもが含まれず、且つ前記２．４ＧＨｚの周波数帯によって、前記外部装置と無線接続することができない場合、前記５ＧＨｚの周波数帯によって、前記外部装置と無線接続することを特徴とする請求項１１又は１２に記載の印刷装置。
【請求項１４】
前記設定情報に、前記２．４ＧＨｚの周波数帯に対応する周波数帯情報及び、前記２．４ＧＨｚの周波数帯に対応する複数のプロファイル情報が含まれる場合、前記複数のプロファイル情報のうち、よりセキュリティレベルの高い認証方式のプロファイル又はよりセキュリティレベルの高い暗号方式のプロファイルが優先して用いられて、前記外部装置との無線接続が確立されることを特徴とする請求項１乃至１３のいずれか１項に記載の印刷装置。
【請求項１５】
第１の周波数帯と第２の周波数帯における無線通信を実行可能であり、利用する通信チャネルを決定しない子局になる無線接続と、利用する通信チャネルを決定する親局になる無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記第１の周波数帯及び前記第２の周波数帯を含む複数の周波数帯のうち少なくとも１つを用いて、前記外部装置と、前記子局に前記印刷装置がなる無線接続を確立する接続手段と、
前記親局で前記印刷装置が動作している状態で前記所定の操作が受け付けられ、且つ前記第１の周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されるように制御し、前記親局で前記印刷装置が動作している状態で前記所定の操作が受け付けられ、且つ前記第２の周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有し、
前記第２の周波数帯によって前記外部装置と無線接続している場合、Ｄｙｎａｍｉｃ  Ｆｒｅｑｕｅｎｃｙ  Ｓｅｌｅｃｔｉｏｎ又はＴｒａｎｓｍｉｔ  Ｐｏｗｅｒ  Ｃｏｎｔｒｏｌによって、前記外部装置と前記印刷装置との間の前記第２の周波数帯による無線接続において利用されているチャネルが他のチャネルに変更されうることを特徴とする印刷装置。
【請求項１６】
前記親局で前記印刷装置が動作している状態で前記所定の操作が受け付けられ、且つ前記第１の周波数帯を用いて前記子局に前記印刷装置がなる無線接続が前記設定情報に基づいて確立された場合、前記設定情報に基づいて確立される前記子局に前記印刷装置がなる無線接続に用いられる通信チャネルと、前記所定の操作が受け付けられたときの前記親局での前記印刷装置の動作に用いられていた通信チャネルとが異なっていたとしても、前記子局に前記印刷装置がなる無線接続と前記親局での前記印刷装置の動作が、同じ通信チャネルを用いて並行して維持されるように制御されることを特徴とする請求項１４に記載の印刷装置。
【請求項１７】
前記親局で前記印刷装置が動作している状態で前記所定の操作が受け付けられた場合、前記親局での前記印刷装置の動作が停止され、
前記親局で前記印刷装置が動作している状態で前記所定の操作が受け付けられ、且つ前記第１の周波数帯を用いて前記子局に前記印刷装置がなる無線接続が前記設定情報に基づいて確立されたことに基づいて、前記親局での前記印刷装置の動作が再開され、
前記親局で前記印刷装置が動作している状態で前記所定の操作が受け付けられ、且つ前記第２の周波数帯を用いて前記子局に前記印刷装置がなる無線接続が前記設定情報に基づいて確立されたことに基づいては、前記親局での前記印刷装置の動作が再開されないことを特徴とする請求項１５又は１６に記載の印刷装置。
【請求項１８】
第１の周波数帯と第２の周波数帯における無線通信を実行可能であり、第１の情報処理装置との外部装置を介した第１の無線接続と、第２の情報処理装置との前記外部装置を介さない直接的な第２の無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記第１の周波数帯及び前記第２の周波数帯を含む複数の周波数帯のうち少なくとも１つを用いて、前記外部装置との無線接続を確立する接続手段と、
前記第２の無線接続を確立するための状態で前記印刷装置が動作している状態で前記所定の操作が受け付けられ、且つ前記第１の周波数帯を用いて前記外部装置との無線接続が前記設定情報に基づいて確立された場合、前記第１の無線接続と、前記第２の無線接続を確立するための状態での前記印刷装置の動作とが並行して維持されるように制御し、前記第２の無線接続を確立するための状態で前記印刷装置が動作している状態で前記所定の操作が受け付けられ、且つ前記第２の周波数帯を用いて前記外部装置との無線接続が前記設定情報に基づいて確立された場合、前記第１の無線接続と、前記第２の無線接続を確立するための状態での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有し、
前記第２の周波数帯によって前記外部装置と無線接続している場合、Ｄｙｎａｍｉｃ  Ｆｒｅｑｕｅｎｃｙ  Ｓｅｌｅｃｔｉｏｎ又はＴｒａｎｓｍｉｔ  Ｐｏｗｅｒ  Ｃｏｎｔｒｏｌによって、前記外部装置と前記印刷装置との間の前記第２の周波数帯による無線接続において利用されているチャネルが他のチャネルに変更されうることを特徴とする印刷装置。
【請求項１９】
前記第２の無線接続を確立するための状態で前記印刷装置が動作している状態で前記所定の操作が受け付けられ、且つ前記第１の周波数帯を用いて前記外部装置との無線接続が前記設定情報に基づいて確立された場合、前記設定情報に基づいて確立される前記外部装置との無線接続に用いられる通信チャネルと、前記所定の操作が受け付けられたときの前記第２の無線接続を確立するための状態での前記印刷装置の動作に用いられていた通信チャネルとが異なっていたとしても、前記第１の無線接続と前記第２の無線接続を確立するための状態での前記印刷装置の動作が、同じ通信チャネルを用いて並行して維持されるように制御されることを特徴とする請求項１８に記載の印刷装置。
【請求項２０】
前記第２の無線接続を確立するための状態で前記印刷装置が動作している状態で前記所定の操作が受け付けられた場合、前記第２の無線接続を確立するための状態での前記印刷装置の動作が停止され、
前記第２の無線接続を確立するための状態で前記印刷装置が動作している状態で前記所定の操作が受け付けられ、且つ前記第１の周波数帯を用いて前記外部装置との無線接続が前記設定情報に基づいて確立されたことに基づいて、前記第２の無線接続を確立するための状態での前記印刷装置の動作が再開され、
前記第２の無線接続を確立するための状態で前記印刷装置が動作している状態で前記所定の操作が受け付けられ、且つ前記第２の周波数帯を用いて前記外部装置との無線接続が前記設定情報に基づいて確立されたことに基づいては、前記第２の無線接続を確立するための状態での前記印刷装置の動作が再開されないことを特徴とする請求項１８又は１９に記載の印刷装置。
【請求項２１】
前記第２の無線接続を確立するための状態とは、Ｗｉ−Ｆｉ  Ｄｉｒｅｃｔによる接続を確立するための状態及び、アクセスポイントとして動作する状態のうち少なくとも一方であることを特徴とする請求項１８乃至２０のいずれか１項に記載の印刷装置。
【請求項２２】
前記設定情報に、前記第１の周波数帯に対応する周波数帯情報と前記第２の周波数帯に対応する周波数帯情報とが含まれる場合、前記第２の周波数帯より、前記第１の周波数帯を優先的に用いて、前記外部装置との無線接続を確立することを特徴とする請求項１５乃至２１のいずれか１項に記載の印刷装置。
【請求項２３】
前記設定情報に、前記第１の周波数帯に対応する周波数帯情報と前記第２の周波数帯に対応する周波数帯情報とが含まれ、且つ前記第１の周波数帯によって、前記外部装置と無線接続することができない場合、前記第２の周波数帯によって、前記外部装置と無線接続することを特徴とする請求項１５乃至２２いずれか１項に記載の印刷装置。
【請求項２４】
前記設定情報に、前記第１の周波数帯に対応する周波数帯情報と前記第２の周波数帯に対応する周波数帯情報のうちいずれか１つが含まれる場合、前記設定情報に含まれる周波数帯情報に基づく周波数帯によって、前記外部装置と無線接続することを特徴とする請求項１５乃至２３のいずれか１項に記載の印刷装置。
【請求項２５】
前記設定情報に、前記第１の周波数帯に対応する周波数帯情報と前記第２の周波数帯に対応する周波数帯情報のいずれもが含まれない場合、前記第２の周波数帯より、前記第１の周波数帯を優先的に用いて、前記外部装置と無線接続することを特徴とする請求項１５乃至２４のいずれか１項に記載の印刷装置。
【請求項２６】
前記設定情報に、前記第１の周波数帯に対応する周波数帯情報と前記第２の周波数帯に対応する周波数帯情報のいずれもが含まれない場合、前記第１の周波数帯で前記外部装置を検索し、前記第１の周波数帯で前記外部装置を検索した結果、前記外部装置が発見されなかった場合に、前記第２の周波数帯で前記外部装置を検索することで、前記第２の周波数帯より、前記第１の周波数帯を優先的に用いて、前記外部装置と無線接続することを特徴とする請求項２５に記載の印刷装置。
【請求項２７】
前記設定情報に、前記第１の周波数帯に対応する周波数帯情報と前記第２の周波数帯に対応する周波数帯情報のいずれもが含まれず、且つ前記第１の周波数帯によって、前記外部装置と無線接続することができない場合、前記第２の周波数帯によって、前記外部装置と無線接続することを特徴とする請求項２５又は２６に記載の印刷装置。
【請求項２８】
前記設定情報に、前記第１の周波数帯に対応する周波数帯情報及び、前記第１の周波数帯に対応する複数のプロファイル情報が含まれる場合、前記複数のプロファイル情報のうち、よりセキュリティレベルの高い認証方式のプロファイル又はよりセキュリティレベルの高い暗号方式のプロファイルが優先して用いられて、前記外部装置との無線接続が確立されることを特徴とする請求項１５乃至２７のいずれか１項に記載の印刷装置。
【請求項２９】
前記外部装置以外の装置を介さず、前記外部装置から直接、前記設定情報を受信することを特徴とする請求項１乃至２８のいずれか１項に記載の印刷装置。
【請求項３０】
ＡｉｒＳｔａｔｉｏｎ  Ｏｎｅ−Ｔｏｕｃｈ  Ｓｅｃｕｒｅ  Ｓｙｓｔｅｍ、らくらく無線スタート、Ｗｉ−Ｆｉ  Ｐｒｏｔｅｃｔｅｄ  Ｓｅｔｕｐのうちいずれかの設定方法によって、前記設定情報を受信し、
前記所定の操作は、前記いずれかの設定方法による設定を開始するための操作であることを特徴とする請求項２９に記載の印刷装置。
【請求項３１】
前記外部装置以外の装置から、前記設定情報を受信し、
前記所定の操作は、前記外部装置以外の装置から、前記設定情報を受信するための状態で前記印刷装置を動作させるための操作であることを特徴とする請求項１乃至３０のいずれか１項に記載の印刷装置。
【請求項３２】
前記設定情報を受信するための状態は、前記印刷装置が所定のアクセスポイントとして動作する状態であり、
前記所定のアクセスポイントとして動作している前記印刷装置と前記外部装置以外の装置との間の接続を介して、前記設定情報が受信されることを特徴とする請求項３１に記載の印刷装置。
【請求項３３】
前記設定情報は、前記外部装置と無線接続するための接続情報、前記外部装置との無線接続において利用される認証方式に関する情報、及び前記外部装置と無線接続において利用される暗号方式に関する情報のうち少なくとも１つを含むことを特徴とする請求項１乃至３２のいずれか１項に記載の印刷装置。
【請求項３４】
前記周波数帯情報は、前記外部装置との無線接続に用いる通信チャネルに関する情報であることを特徴とする請求項１乃至３３のいずれか１項に記載の印刷装置。
【請求項３５】
インクによって記録媒体上に印刷を行う印刷手段をさらに有することを特徴とする請求項１乃至３４のいずれか１項に記載の印刷装置。
【請求項３６】
２．４ＧＨｚの周波数帯と５ＧＨｚの周波数帯における無線通信を実行可能であり、利用する通信チャネルを決定しない子局になる無線接続と、利用する通信チャネルを決定する親局になる無線接続と、を並行して維持可能である印刷装置の制御方法であって、
外部装置との無線接続のための処理において用いられる設定情報を受信ための所定の操作を受け付ける受付ステップと、
前記所定の操作が受け付けられた後、前記設定情報を受信する設定受信ステップと、
前記設定情報に基づいて、前記２．４ＧＨｚの周波数帯及び前記５ＧＨｚの周波数帯のうち少なくとも一方を用いて、前記外部装置と、前記子局に前記印刷装置がなる無線接続を確立する接続ステップと、
前記親局で前記印刷装置が動作している状態で前記所定の操作が受け付けられ、且つ前記２．４ＧＨｚの周波数帯を用いて前記子局に前記印刷装置がなる無線接続が前記設定情報に基づいて確立された場合、前記子局に前記印刷装置がなる無線接続と前記親局での前記印刷装置の動作が並行して維持されるように制御し、前記親局で前記印刷装置が動作している状態で前記所定の操作が受け付けられ、且つ前記５ＧＨｚの周波数帯を用いて前記子局に前記印刷装置がなる無線接続が前記設定情報に基づいて確立された場合、前記子局に前記印刷装置がなる無線接続と前記親局での前記印刷装置の動作が並行して維持されないように制御する制御ステップと、
前記外部装置との無線接続を介して、印刷ジョブを受信するジョブ受信ステップと、
前記印刷ジョブに基づいて、印刷を実行する印刷ステップと、
を有することを特徴とする制御方法。
【請求項３７】
２．４ＧＨｚの周波数帯と５ＧＨｚの周波数帯における無線通信を実行可能であり、第１の情報処理装置との外部装置を介した第１の無線接続と、第２の情報処理装置との前記外部装置を介さない直接的な第２の無線接続と、を並行して維持可能である印刷装置の制御方法であって、
外部装置との無線接続のための処理において用いられる設定情報を受信ための所定の操作を受け付ける受付ステップと、
前記所定の操作が受け付けられた後、前記設定情報を受信する設定受信ステップと、
前記設定情報に基づいて、前記５ＧＨｚの周波数帯及び前記２．４ＧＨｚの周波数帯のうち少なくとも一方を用いて、前記外部装置との無線接続を確立する接続ステップと、
前記第２の無線接続を確立するための状態で前記印刷装置が動作している状態で前記所定の操作が受け付けられ、且つ前記２．４ＧＨｚの周波数帯を用いて前記外部装置との無線接続が前記設定情報に基づいて確立された場合、前記第１の無線接続と前記第２の無線接続を確立するための状態での前記印刷装置の動作が並行して維持されるように制御し、前記第２の無線接続を確立するための状態で前記印刷装置が動作している状態で前記所定の操作が受け付けられ、且つ前記５ＧＨｚの周波数帯を用いて前記外部装置との無線接続が前記設定情報に基づいて確立された場合、前記第１の無線接続と前記第２の無線接続を確立するための状態での前記印刷装置の動作が並行して維持されないように制御する制御ステップと、
前記外部装置との無線接続を介して、印刷ジョブを受信するジョブ受信ステップと、
前記印刷ジョブに基づいて、印刷を実行する印刷ステップと、
を有することを特徴とする制御方法。
【請求項３８】
第１の周波数帯と第２の周波数帯における無線通信を実行可能であり、利用する通信チャネルを決定しない子局になる無線接続と、利用する通信チャネルを決定する親局になる無線接続と、を並行して維持可能である印刷装置の制御方法であって、
外部装置との無線接続のための処理において用いられる設定情報を受信ための所定の操作を受け付ける受付ステップと、
前記所定の操作が受け付けられた後、前記設定情報を受信する設定受信ステップと、
前記設定情報に基づいて、前記第１の周波数帯及び前記第２の周波数帯を含む複数の周波数帯のうち少なくとも１つを用いて、前記外部装置と、前記子局に前記印刷装置がなる無線接続を確立する接続ステップと、
前記親局で前記印刷装置が動作している状態で前記所定の操作が受け付けられ、且つ前記第１の周波数帯を用いて前記子局に前記印刷装置がなる無線接続が前記設定情報に基づいて確立された場合、前記子局に前記印刷装置がなる無線接続と前記親局での前記印刷装置の動作が並行して維持されるように制御し、前記親局で前記印刷装置が動作している状態で前記所定の操作が受け付けられ、且つ前記第２の周波数帯を用いて前記子局に前記印刷装置がなる無線接続が前記設定情報に基づいて確立された場合、前記子局に前記印刷装置がなる無線接続と前記親局での前記印刷装置の動作が並行して維持されないように制御する制御ステップと、
前記外部装置との無線接続を介して、印刷ジョブを受信するジョブ受信ステップと、
前記印刷ジョブに基づいて、印刷を実行する印刷ステップと、
を有し、
前記第２の周波数帯によって前記外部装置と無線接続している場合、Ｄｙｎａｍｉｃ  Ｆｒｅｑｕｅｎｃｙ  Ｓｅｌｅｃｔｉｏｎ又はＴｒａｎｓｍｉｔ  Ｐｏｗｅｒ  Ｃｏｎｔｒｏｌによって、前記外部装置と前記印刷装置との間の前記第２の周波数帯による無線接続において利用されているチャネルが他のチャネルに変更されうることを特徴とする制御方法。
【請求項３９】
第１の周波数帯と第２の周波数帯における無線通信を実行可能であり、第１の情報処理装置との外部装置を介した第１の無線接続と、第２の情報処理装置との前記外部装置を介さない直接的な第２の無線接続と、を並行して維持可能である印刷装置の制御方法であって、
外部装置との無線接続のための処理において用いられる設定情報を受信ための所定の操作を受け付ける受付ステップと、
前記所定の操作が受け付けられた後、前記設定情報を受信する設定受信ステップと、
前記設定情報に基づいて、前記第１の周波数帯及び前記第２の周波数帯を含む複数の周波数帯のうち少なくとも１つを用いて、前記外部装置との無線接続を確立する接続ステップと、
前記第２の無線接続を確立するための状態で前記印刷装置が動作している状態で前記所定の操作が受け付けられ、且つ前記第１の周波数帯を用いて前記外部装置との無線接続が前記設定情報に基づいて確立された場合、前記第１の無線接続と前記第２の無線接続を確立するための状態での前記印刷装置の動作が並行して維持されるように制御し、前記第２の無線接続を確立するための状態で前記印刷装置が動作している状態で前記所定の操作が受け付けられ、且つ前記第２の周波数帯を用いて前記外部装置との無線接続が前記設定情報に基づいて確立された場合、前記第１の無線接続と前記第２の無線接続を確立するための状態での前記印刷装置の動作が並行して維持されないように制御する制御ステップと、
前記外部装置との無線接続を介して、印刷ジョブを受信するジョブ受信ステップと、
前記印刷ジョブに基づいて、印刷を実行する印刷ステップと、
を有し、
前記第２の周波数帯によって前記外部装置と無線接続している場合、Ｄｙｎａｍｉｃ  Ｆｒｅｑｕｅｎｃｙ  Ｓｅｌｅｃｔｉｏｎ又はＴｒａｎｓｍｉｔ  Ｐｏｗｅｒ  Ｃｏｎｔｒｏｌによって、前記外部装置と前記印刷装置との間の前記第２の周波数帯による無線接続において利用されているチャネルが他のチャネルに変更されうることを特徴とする制御方法。
【請求項４０】
請求項１乃至３３のいずれか１項に記載の印刷装置の各手段としてコンピュータを動作させるためのプログラム。
【手続補正２】
【補正対象書類名】明細書
【補正対象項目名】０００７
【補正方法】変更
【補正の内容】
【０００７】
上記課題を解決するため、本発明の印刷装置は、
２．４ＧＨｚの周波数帯と５ＧＨｚの周波数帯における無線通信を実行可能であり、利用する通信チャネルを決定しない子局になる無線接続と、利用する通信チャネルを決定する親局になる無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記２．４ＧＨｚの周波数帯及び前記５ＧＨｚの周波数帯のうち少なくとも一方を用いて、前記外部装置と、前記子局に前記印刷装置がなる無線接続を確立する接続手段と、
前記親局で前記印刷装置が動作している状態で前記所定の操作が受け付けられ、且つ前記２．４ＧＨｚの周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されるように制御し、前記親局で前記印刷装置が動作している状態で前記所定の操作が受け付けられ、且つ前記５ＧＨｚの周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有することを特徴とする。
また本発明の印刷装置は、
２．４ＧＨｚの周波数帯と５ＧＨｚの周波数帯における無線通信を実行可能であり、第１の情報処理装置との外部装置を介した第１の無線接続と、第２の情報処理装置との前記外部装置を介さない直接的な第２の無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記５ＧＨｚの周波数帯及び前記２．４ＧＨｚの周波数帯のうち少なくとも一方を用いて、前記外部装置との無線接続を確立する接続手段と、
前記第２の無線接続を確立するための状態で前記印刷装置が動作している状態で前記所定の操作が受け付けられ、且つ前記２．４ＧＨｚの周波数帯を用いて前記外部装置との無線接続が前記設定情報に基づいて確立された場合、前記第１の無線接続と、前記第２の無線接続を確立するための状態での前記印刷装置の動作とが並行して維持されるように制御し、前記第２の無線接続を確立するための状態で前記印刷装置が動作している状態で前記所定の操作が受け付けられ、且つ前記５ＧＨｚの周波数帯を用いて前記外部装置との無線接続が前記設定情報に基づいて確立された場合、前記第１の無線接続と、前記第２の無線接続を確立するための状態での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有することを特徴とする。
【手続補正３】
【補正対象書類名】明細書
【補正対象項目名】０００８
【補正方法】変更
【補正の内容】
【０００８】
また本発明の印刷装置は、
第１の周波数帯と第２の周波数帯における無線通信を実行可能であり、利用する通信チャネルを決定しない子局になる無線接続と、利用する通信チャネルを決定する親局になる無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記第１の周波数帯及び前記第２の周波数帯を含む複数の周波数帯のうち少なくとも１つを用いて、前記外部装置と、前記子局に前記印刷装置がなる無線接続を確立する接続手段と、
前記親局で前記印刷装置が動作している状態で前記所定の操作が受け付けられ、且つ前記第１の周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されるように制御し、前記親局で前記印刷装置が動作している状態で前記所定の操作が受け付けられ、且つ前記第２の周波数帯を用いて前記子局に前記印刷装置がなる無線接続が前記設定情報に基づいて確立された場合、前記子局に前記印刷装置がなる無線接続と、前記親局での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有し、
前記第２の周波数帯によって前記外部装置と無線接続している場合、Ｄｙｎａｍｉｃ  Ｆｒｅｑｕｅｎｃｙ  Ｓｅｌｅｃｔｉｏｎ又はＴｒａｎｓｍｉｔ  Ｐｏｗｅｒ  Ｃｏｎｔｒｏｌによって、前記外部装置と前記印刷装置との間の前記第２の周波数帯による無線接続において利用されているチャネルが他のチャネルに変更されうることを特徴とする。
また本発明の印刷装置は、
第１の周波数帯と第２の周波数帯における無線通信を実行可能であり、第１の情報処理装置との外部装置を介した第１の無線接続と、第２の情報処理装置との前記外部装置を介さない直接的な第２の無線接続と、を並行して維持可能である印刷装置であって、
外部装置との無線接続のための処理において用いられる設定情報を受信ための所定の操作を受け付ける受付手段と、
前記所定の操作が受け付けられた後、前記設定情報を受信する設定受信手段と、
前記設定情報に基づいて、前記第１の周波数帯及び前記第２の周波数帯を含む複数の周波数帯のうち少なくとも１つを用いて、前記外部装置との無線接続を確立する接続手段と、
前記第２の無線接続を確立するための状態で前記印刷装置が動作している状態で前記所定の操作が受け付けられ、且つ前記第１の周波数帯を用いて前記外部装置との無線接続が前記設定情報に基づいて確立された場合、前記第１の無線接続と、前記第２の無線接続を確立するための状態での前記印刷装置の動作とが並行して維持されるように制御し、前記第２の無線接続を確立するための状態で前記印刷装置が動作している状態で前記所定の操作が受け付けられ、且つ前記第２の周波数帯を用いて前記外部装置との無線接続が前記設定情報に基づいて確立された場合、前記第１の無線接続と、前記第２の無線接続を確立するための状態での前記印刷装置の動作とが並行して維持されないように制御する制御手段と、
前記外部装置との無線接続を介して、印刷ジョブを受信するジョブ受信手段と、
前記印刷ジョブに基づいて、印刷を実行する印刷手段と、
を有し、
前記第２の周波数帯によって前記外部装置と無線接続している場合、Ｄｙｎａｍｉｃ  Ｆｒｅｑｕｅｎｃｙ  Ｓｅｌｅｃｔｉｏｎ又はＴｒａｎｓｍｉｔ  Ｐｏｗｅｒ  Ｃｏｎｔｒｏｌによって、前記外部装置と前記印刷装置との間の前記第２の周波数帯による無線接続において利用されているチャネルが他のチャネルに変更されうることを特徴とする。
【手続補正４】
【補正対象書類名】明細書
【補正対象項目名】０１０７
【補正方法】変更
【補正の内容】
【０１０７】
Ｓ５２７では、ＣＰＵ３０２は、ダイレクト接続モードを無効化する。すなわち、動作モード格納領域に含まれる情報を、ダイレクト接続モードが無効であることを示す情報に書き換える。これは、上述したように、５ＧＨｚを使用した同時動作はいくつかの課題を生じさせるためである。なお、このとき、ＣＰＵ３０２は、ダイレクト接続モードを無効化することをユーザに通知するための画面を表示部３１１に表示しても良い。